(57)【特許請求の範囲】
【請求項１】
互いに電位の異なる第１電圧線の母線、第２電圧線の母線及び中性線の母線を含む母線グループと、前記母線グループが収納される箱状の母線収納体と、前記母線グループに接続される複数の分岐開閉器とを有する分電盤であって、
前記各分岐開閉器は、長手方向の一側面に前記母線グループが接続される開閉器側接続端子を有し、かつ、前記複数の分岐開閉器は、前記開閉器側接続端子と前記母線収納体の一側面とが対向するように該分岐開閉器の幅方向に並べて配置され、
前記母線グループの各母線は、前記母線収納体の一側面側において前記各分岐開閉器の前記各接続端子とそれぞれ接続可能な母線側接続端子を有し、
前記母線収納体は、前記各分岐開閉器の長手方向の延長上における該母線収納体の一側面と直交する表面に、前記第１電圧線へのアクセスを可能にする第１開口と、前記第２電圧線へのアクセスを可能にする第２開口と、前記中性線へのアクセスを可能にする第３開口とを含む開口部を有し、
複数の前記開口部が、前記各分岐開閉器と対応する位置に該分岐開閉器の幅方向に並ぶように設けられている
ことを特徴とする分電盤。
【請求項２】
請求項１記載の分電盤において、
前記第１開口及び第２開口の一方は、前記第１開口及び第２開口のいずれか他方及び前記第３開口に対して前記分岐開閉器の長手方向側に配置されている
ことを特徴とする分電盤。
【請求項３】
請求項１又は２に記載の分電盤において、
前記母線グループの第１母線は、前記母線収納体の表面に沿って延びる板状母線であり、
前記母線グループの第２母線は、前記第１母線の裏側において前記第１母線と平行に延びており、
前記第１母線は、前記第２母線へのアクセスを可能にする開口と対応する位置に、前記母線収納体の表面側から該前記第２母線へのアクセスを可能とするように表裏方向に貫通する貫通部を有し、
前記母線収納体内に、前記貫通部を表裏方向に貫通する絶縁体からなる筒状部が該母線収納体と一体的に設けられ、前記母線収納体の表側から前記第２母線へのアクセスが可能に構成されている
ことを特徴とする分電盤。
【請求項４】
請求項１から３のうちのいずれか１項に記載の分電盤において、
前記各分岐開閉器は、前記第１電圧線の母線、前記第２電圧線の母線及び前記中性線の母線のうちから２つの母線の前記母線側接続端子を選択して接続できるように構成されており、かつ、該母線の選択がされた場合に、該選択がされていない母線へのアクセスを可能にする開口を閉じるように構成されている
ことを特徴とする分電盤。
【発明の詳細な説明】
【技術分野】
【０００１】
本発明は、分岐開閉器に供給される電源電圧の測定が可能な分電盤に関する。
【背景技術】
【０００２】
分電盤は、主開閉器と、その主開閉器の二次側に接続される母線と、その母線と各々接続される分岐開閉器等の内部機器と、これらを収容するキャビネットとによって構成されており、例えば住宅等における電路の引込口装置として用いられている。近年、住宅内で使用される電気機器において、電源供給のために専用回路を必要とするものが増え、上記の分岐開閉器と直接配線して接続する機器が増えている。例えば、２４時間換気システムや、ビルトインタイプの食器洗浄器等が該当する。
【０００３】
このような専用回路を必要とする電気機器は、２００Ｖの電源電圧を必要とするものが多くあり、単相３線式電路（１００／２００Ｖ）から主開閉器を介して３線式の母線を引き込み、分岐開閉器側で使用する電源電圧の選択や切り替えをできるようにした分電盤が知られている。このように、分岐開閉器側で電源電圧の選択や切り替えができるようにしているため、誤配線等によって電気機器への過電圧の印加や、電気機器への供給電圧の不足が生じる場合がある。
【０００４】
特許文献１には、プラグイン端子構造を有する分岐開閉器の操作ハンドルをオンする前に、負荷回路に供給される電圧を作業性よく確認することができる供給電源電圧測定構造を備えた住宅用分電盤が開示されている。
【先行技術文献】
【特許文献】
【０００５】
【特許文献１】特開２０１１−１４２８００号公報
【発明の概要】
【発明が解決しようとする課題】
【０００６】
ところで、近年の住宅等における発電方法や受電方法の多様化、電気機器への電源供給方法の多様化等に伴い、分岐開閉器数の増加や分電盤の複数個設置等に対するニーズが増え、住宅用途、増設用途等の分電盤において、その小型化が望まれている。
【０００７】
特許文献１の供給電源電圧測定構造は、分岐開閉器のプラグイン端子間に印加された電源電圧の測定を行えるように構成されているが、２つの電圧極の母線に母線側電圧測定部をそれぞれ設ける必要がある。一般的に、分電盤の母線には、感電等を防止するために絶縁性のカバーが取り付けられるが、特許文献１の分電盤では、母線側電圧測定部も含めた領域を上記カバーで覆う必要がある。したがって、特許文献１の分電盤では、上記の母線側電圧測定部の面積分だけ、上記カバーが分電盤の幅方向及び／又は厚さ方向に大きくなったり、分電盤自体の幅方向のサイズが大きくなったりするという課題がある。
【０００８】
上記の点に鑑み、本発明は、分岐開閉器の操作ハンドルをオンする前に分岐開閉器の接続端子間に印加される電源電圧を測定する機能を有し、その電源電圧測定の作業容易性を確保しつつ、小型化された分電盤を実現することを目的とする。
【課題を解決するための手段】
【０００９】
本発明に係る分電盤は、互いに電位の異なる第１電圧線、第２電圧線及び中性線の母線を含む母線グループと、この母線グループを収納する母線収納体とを有し、母線収納体に設けられた開口部を介して、母線収納体の表面側から第１電圧線、第２電圧線及び中性線にそれぞれアクセスが可能となるようにした。
【００１０】
すなわち、本発明の一態様では、互いに電位の異なる第１電圧線の母線、第２電圧線の母線及び中性線の母線を含む母線グループと、前記母線グループが収納される箱状の母線収納体と、前記母線グループに接続される複数の分岐開閉器とを有する分電盤であって、前記各分岐開閉器は、長手方向の一側面に前記母線グループが接続される開閉器側接続端子を有し、かつ、前記複数の分岐開閉器は、前記開閉器側接続端子と前記母線収納体の一側面とが対向するように該分岐開閉器の幅方向に並べて配置され、前記母線グループの各母線は、前記母線収納体の一側面側において前記各分岐開閉器の前記各接続端子とそれぞれ接続可能な母線側接続端子を有し、前記母線収納体は、前記各分岐開閉器の長手方向の延長上における該母線収納体の一側面と直交する表面に、前記第１電圧線へのアクセスを可能にする第１開口と、前記第２電圧線へのアクセスを可能にする第２開口と、前記中性線へのアクセスを可能にする第３開口とを含む開口部を有し、複数の前記開口部が、前記各分岐開閉器と対応する位置に該分岐開閉器の幅方向に並ぶように設けられている。
【００１１】
なお、本開示において、「アクセスを可能にする」とは、プローブ等を接触させて電源電圧等の電気的な測定を可能にすること指すものとする。より具体的には、例えば、測定者が第１開口〜第３開口に対してプローブ等を挿入することにより、母線収納体の表面側から第１電圧線、第２電圧線及び中性線に上記プローブ等を接触させて、電源電圧等の測定ができるようにすることを指すものとする。
【００１２】
この態様によると、母線収納体は、第１開口〜第３開口を含む開口部を有しており、この開口部を介して、母線収納体の表面側から第１電圧線、第２電圧線及び中性線にアクセスをそれぞれ可能にしている。これにより、電源電圧測定専用の端子等を設けることなく、分岐開閉器の接続端子間に印加される電源電圧の測定ができるようにすることができる。具体的には、例えば、工事業者等の測定者は、母線収納体の表面側から開口部（第１開口〜第３開口）に対して測定機器のプローブ等を挿入して、分岐開閉器の接続端子間に印加される電源電圧を測定することができる。このように、電源電圧測定専用の端子等を設けるスペースを削減することにより、例えば、電源電圧測定専用の端子が分電盤の幅方向に延びるような構成の場合にあっては、分電盤の幅方向のサイズを小型化することができ、例えば、電源電圧測定専用の端子が分電盤の厚さ方向に延びるような構成の場合にあっては、分電盤内で母線を覆うカバーの分電盤の厚さ方向の高さを低くすることができる。このようにカバーの高さを低くすることにより、カバーの高さが高い場合と比較して放熱効果を上げたり、カバーの高さ方向の差分領域に説明書やアタッチメントを設置したりすることができるようになる。
【００１３】
また、母線収納体の第１開口〜第３開口は、各分岐開閉器の長手方向の延長上に設けられているため、複数の分岐開閉器をその幅方向に並べて配置する場合に、各分岐開閉器間の間隔を狭めることができ、分電盤の小型化を実現することができる。
【００１４】
さらに、母線収納体の複数の開口部が、各分岐開閉器と対応する位置（各分岐開閉器の長手方向の延長上の位置）に分岐開閉器の幅方向に並ぶように設けられているため、測定者が、例えば、隣接する複数の分岐開閉器の接続端子間に印加される電源電圧を測定する場合においても、複数箇所の測定におけるプローブの移動距離が少なくてすむため、容易に測定を実施することができる。
【００１５】
また、上の態様の分電盤において、前記第１開口及び第２開口の一方は、前記第１開口及び第２開口のいずれか他方及び前記第３開口に対して前記分岐開閉器の長手方向側に配置されている、ように構成されていてもよい。
【００１６】
この構成によると、分電盤の幅方向が薄型化された場合においても、ＪＩＳ等で規定された電圧線間の距離（例えば、各母線間の距離や各接続端子間の距離）を保ちつつ、母線収納体の第１開口〜第３開口を各分岐開閉器の長手方向の延長上に設けることができる。これにより、複数の分岐開閉器をその幅方向に並べて配置する場合に、各分岐開閉器間の間隔を狭めることができ、分電盤の小型化を実現することができる。
【００１７】
また、上の態様の分電盤において、前記母線グループの第１母線は、前記母線収納体の表面に沿って延びる板状母線であり、前記母線グループの第２母線は、前記第１母線の裏側において前記第１母線と平行に延びており、前記第１母線は、前記第２母線へのアクセスを可能にする開口と対応する位置に、前記母線収納体の表面側から該前記第２母線へのアクセスを可能とするように表裏方向に貫通する貫通部を有し、前記母線収納体内に、前記貫通部を表裏方向に貫通する絶縁体からなる筒状部が該母線収納体と一体的に設けられ、前記母線収納体の表側から前記第２母線へのアクセスが可能に構成されていてもよい。
【００１８】
なお、本開示において、「平行」とは、実質的に平行であることを指すものとする。例えば、取付状態等によって第１の母線及び第２の母線の少なくともいずれか一方が平行な状態から当該２つの母線間隔が広がる方向又は狭まる方向に若干傾いているものも含む概念である。
【００１９】
この構成によると、例えば、分岐開閉器の一次側の接続端子が表裏方向に重なっている場合、すなわち、第１母線と第２の母線とが表裏方向に重なっている場合においても、近接する位置に第１母線へのアクセスを可能にする開口と、第２母線へのアクセスを可能にする開口とを配置することができる。すなわち、分電盤の小型化を実現しつつ、測定者による電圧測定をより容易化することができる。
【００２０】
また、上の態様の分電盤において、前記各分岐開閉器は、前記第１電圧線の母線、前記第２電圧線の母線及び前記中性線の母線のうちから２つの母線の前記母線側接続端子を選択して接続できるように構成されており、かつ、該母線の選択がされた場合に、該選択がされていない母線へのアクセスを可能にする開口を閉じるように構成されていてもよい。
【００２１】
この構成によると、選択がされていない母線へのアクセスを可能にする開口が閉じられているため、測定者が選択されていない母線に対応する開口にプローブを挿入して、誤測定をすることを防止することができる。
【発明の効果】
【００２２】
本発明によれば、各分岐開閉器の長手方向の延長上における母線収納体の表面に開口部を設け、その開口部から各電圧線（中性線）へのアクセスを可能にしたことにより、電源電圧測定の作業容易性を確保しつつ、小型化された分電盤を実現することができる。
【図面の簡単な説明】
【００２３】
【図１】実施形態に係る分電盤の内部ユニットを前方から見た斜視図である。
【図２】母線グループが収納された状態における母線収納体を前方斜め下側から見た斜視図である。
【図３】母線収納体及び母線グループを前方斜め下側から見た分解斜視図である。
【図４】母線収納体の前面カバーの斜視図であり、（ａ）は前方斜め下側から見た斜視図、（ｂ）は後方斜め上側から見た斜視図である。
【図５】母線収納体の収納体本体を後方斜め上側から見た斜視図である。
【図６】分岐開閉器を前方斜め上側から見た斜視図である。
【発明を実施するための形態】
【００２４】
以下、本発明の実施形態を図１〜図６を参照しながら説明する。以下の好ましい実施形態の説明は、本質的に例示に過ぎず、本発明、その適用範囲あるいはその用途を制限することを意図するものではない。
【００２５】
（分電盤の概要説明）
本実施形態に係る分電盤は、例えば住宅用の分電盤であり、単相３線式の商用電路に接続され、この分電盤には、筐体（図示しない）の内部に、図１に示すような内部ユニット１０が取り付けられている。内部ユニット１０は、一次側に商用電路に接続される主開閉器１１と、主開閉器１１の二次側に導電性の接続部材（図示しない）を介して接続される母線グループ２と、母線グループ２が収納される箱状の母線収納体３と、母線グループ２に対して下側から接続される６個の分岐開閉器４，５（分岐開閉器４が３個，分岐開閉器５が３個）とを備えている。主開閉器１１は、取付板１２に前側から取り付けられ、取付板１２は分電盤の筐体に対してねじ止め等で固定されている。また、主開閉器１１の二次側と後述する母線グループ２の各母線との接続は、導電性の板（例えば銅板）を折り曲げ又は打ち抜き形成して構成した接続板や、両端に端子板を接続した電線等を用いて行われる。また、図示しないが上記の接続板の外側は、絶縁性のカバー（例えば樹脂製のカバー）で覆われている。
【００２６】
なお、以下の説明において、「前」とは主開閉器１１が取付板１２に取り付けられた状態で後述する分岐開閉器４，５の操作部４３側（図６参照）を指すものとし、「後」とは取付板１２側を指すものとする。また、「上」及び「下」とは、分電盤を住宅の壁面等に設置したときの上側及び下側をそれぞれ指すものとする。図１では、内部ユニット１０が取付板１２に取り付けられた状態において、母線収納体３側が上側であり、分岐開閉器４，５側が下側である。また、前後方向及び上下方向に直交する方向を左右方向と呼ぶものとする。
【００２７】
分岐開閉器４，５は同一又は類似の構成であり、図６に示すように、箱状の開閉器本体４０を有する。開閉器本体４０の前端における上下左右の中間部分（下側寄りの位置）には、電源側と負荷側との電気的接続の入切をオンオフ操作するための操作部４３が設けられている。
【００２８】
開閉器本体４０の上端部における前側寄りの部位には、下側に向かって凹んだ開閉器側接続端子としてのプラグイン端子４１が設けられている。プラグイン端子４１の前側は開口しており、分岐開閉器４の前側からプラグイン端子４１へのアクセス（例えば、プローブ等の測定端子を挿入して電気的に接触させること）が可能になっている。また、プラグイン端子４１の下側における開閉器本体４０の前端部には、負荷側に供給される電圧を表示した表示部４５が設けられている。
【００２９】
図６の実線で示すように、プラグイン端子４１が右側にある場合（以下、右プラグイン端子４１ともいう）、右プラグイン端子４１には中性線の母線２３（図１及び図３参照）が接続される。一方で、図６の仮想線で示すように、プラグイン端子４１が左側にある場合（以下、左プラグイン端子４１ともいう）、左プラグイン端子４１には第１電圧線の母線２１又は第２電圧線の母線２２（図１及び図３参照）が接続される。したがって、図１において、分岐開閉器４Ａ，４Ｂ，４Ｃ，５Ａは右プラグイン端子４１の状態であり、分岐開閉器５Ｂ，５Ｃは左プラグイン端子４１の状態である。４６は、プラグイン端子４１が右側にある場合、すなわち右プラグイン端子４１の状態において、右プラグイン端子４１の左側に設けられた閉鎖部であり、後述する前カバー３２の測定孔３２ｂ（図４参照）を閉じて、前側からのアクセスができないようにしている。これにより、測定者による計測間違いを防止することができる。なお、プラグイン端子４１が左側にある場合、すなわち左プラグイン端子４１の状態において、閉鎖部４６は、左プラグイン端子４１の右側に設けられ、これにより、後述する前カバー３２の測定孔３２ｃ（図４参照）を閉じて、前側からのアクセスができないようすることができる。
【００３０】
図６に戻り、開閉器本体４０の上端部における後側寄りの部位には、下側に向かって凹んだ開閉器側接続端子としてのプラグイン端子４２が設けられている。プラグイン端子４２には第１電圧線の母線２１又は第２電圧線の母線２２が接続される。また、開閉器本体４０の前方下側の隅角部には、負荷側プラグイン端子４４が設けられている。
【００３１】
なお、分岐開閉器４，５は、１００Ｖ／２００Ｖのいずれか一方を出力できるように構成されていてもよく、１００Ｖ／２００Ｖを切り替え可能に構成されていてもよい。すなわち、プラグイン端子４１が左右いずれかに固定されていてもよく、左右に移動可能に構成されていてもよい。なお、図１において、分岐開閉器４Ａ，４Ｂ，５Ａ，５Ｂは、プラグイン端子４１が固定されている（１００Ｖ／２００Ｖのいずれか一方を出力する）例を示しており、分岐開閉器４Ｃ，５Ｃは、プラグイン端子４１が左右に移動可能に構成されている（１００Ｖ／２００Ｖを切り替え可能である）例を示している。分岐開閉器４Ｃ，５Ｃでは、閉鎖部４６が表示窓３２ｄ側まで延びており、プラグイン端子４１の左右方向への移動にあわせて閉鎖部４６も左右方向に移動する。
【００３２】
（母線及び母線収納体の組立構造）
図３に示すように、母線グループ２は、互いに電位の異なる第１電圧線の母線２１、第２電圧線の母線２２及び中性線の母線２３を備えている。そして、分岐開閉器４，５のプラグイン端子４１，４２（図６参照）を第１電圧線の母線２１及び中性線の母線２３にそれぞれ接続した場合、分岐開閉器４，５の二次側に接続された負荷（例えば、電気機器）に対して１００Ｖが供給される。一方、分岐開閉器４，５のプラグイン端子４１，４２（図６参照）を第１電圧線の母線２１及び第２電圧線の母線２２にそれぞれ接続した場合、分岐開閉器４，５の二次側に接続された負荷に対して２００Ｖが供給される。また、分岐開閉器４，５のプラグイン端子４１，４２（図６参照）を第２電圧線の母線２２及び中性線の母線２３にそれぞれ接続した場合、分岐開閉器４，５の二次側に接続された負荷に対して前述の第１電圧線の母線２１及び中性線の母線２３にそれぞれ接続した場合に対して、電圧位相が反転した１００Ｖが供給される。なお、図１では、分岐開閉器４Ａ，４Ｂ，４Ｃ，５Ａに対して負荷側に１００Ｖが供給されるように設定した例を示しており、分岐開閉器５Ｂ，５Ｃに対して負荷側に２００Ｖが供給されるように設定した例を示している。
【００３３】
第１電圧線の母線２１は、導電性（例えば銅製）の板状の部材である。２１ａは、母線２１の左端部に設けられた下側から見た底面視でＬ字状の接続部であり、接続部２１ａの左端部には、主開閉器の二次側に接続された接続板を連結するためのねじを挿通するねじ挿通孔２１ｅが形成されている。２１ｂは、接続部２１ａの右下端から右側に延びるように一体形成されたベース部である。２１ｃは、分岐開閉器５のプラグイン端子４１と対応する位置において、ベース部２１ｂの前端を下側に折り曲げて形成した母線側接続端子であり、前側から見た正面視でＬ字状になっている。２１ｄは、分岐開閉器４のプラグイン端子４２と対応する位置において、ベース部２１ｂの後端を下側に折り曲げて形成した母線側接続端子である。
【００３４】
第２電圧線の母線２２は、導電性（例えば銅製）の板状の部材である。２２ａは、母線２２の左端部において上下方向に延びる接続部であり、接続部２２ａの下端部には、主開閉器の二次側に接続された接続板を連結するためのねじを挿通するねじ挿通孔２２ｅが形成されている。２２ｂは、接続部２２ａの上端から右側に延びるように一体形成されたベース部である。２２ｃは、分岐開閉器４のプラグイン端子４１と対応する位置において、ベース部２２ｂの前端を下側に折り曲げて形成した母線側接続端子であり、前側から見た正面視でＬ字状になっている。２２ｄは、分岐開閉器５のプラグイン端子４２と対応する位置において、ベース部２２ｂの後端を下側に折り曲げて形成した母線側接続端子である。２２ｆは、後述する筒状部３５と対応する位置において、ベース部２２ｂの前端を上側に折り曲げて形成した測定端子部であり、左側から見た側面視でＬ字状になっている。また、測定端子部２２ｆの上端部には、右方向に向かって矩形状に一体的に延びる測定端子２２ｇが設けられている。
【００３５】
中性線の母線２３は、導電性（例えば銅製）の板状の部材である。２３ａは、左右方向に延びる板状のベース部であり、ベース部２３ａの左端部には、主開閉器の二次側に接続された接続板を連結するためのねじを挿通するねじ挿通孔２３ｅが形成されている。２３ｂは、後述する筒状部３４と対応する位置に設けられた前後方向（表裏方向）に貫通する貫通孔である。同様に、２３ｃは、後述する筒状部３５と対応する位置に設けられた前後方向（表裏方向）に貫通する貫通孔である。貫通孔２３ｂ，２３ｃの直径は、それぞれ筒状部３４，３５の外径より若干大きくなっており、筒状部３４，３５を前後方向に挿通できるようになっている。２３ｄは、分岐開閉器４，５のプラグイン端子４１と対応する位置において、ベース部２１ｂの後端を下側に折り曲げて形成した母線側接続端子であり、後側から見た背面視でＬ字状になっている。
【００３６】
図１に示すように、母線収納体３は絶縁性（例えば樹脂製）の箱状であり、箱状の収納体本体３１と、収納体本体３１の前側に取り付けられ、収納体本体３１の前面をカバーする前カバー３２と、収納体本体３１の上側に取り付けられ、収納体本体３１の上面をカバーする上カバー３３とを備えている。
【００３７】
図３に示すように、収納体本体３１の下板３１ａには、左プラグイン端子４１（図６の仮想線参照）と対応する位置において上下方向に貫通する端子孔３１ｃと、プラグイン端子４２と対応する位置において上下方向に貫通する端子孔３１ｄとが形成されている。また、収納体本体３１の下板３１ａには、右プラグイン端子４１（図６の実線参照）と対応する位置において前後方向に切り欠かれた端子用切欠部３１ｇが形成されている。
【００３８】
さらに、収納体本体３１の前板３１ｂには、母線２１の母線側接続端子２１ｃ及び母線２２の測定端子２２ｇと対応する位置において、前側に突出する筒状部３４，３５が一体的に設けられている。前板３１ｂの筒状部３４，３５と対応する位置には、前後方向に貫通する貫通孔３４ａ，３５ａが形成されている（図５参照）。３８は、前板３１ｂの右下の隅角部において前方向に向かって突設され、後述する前カバー３２の右端の側面に設けられた被係合部３２ｅと係合させる係合爪である。また、３１ｅは、分岐開閉器４，５のプラグイン端子４１，４２を各母線側接続端子に接続した際に、分岐開閉器４，５が左右方向に位置ずれしないようにするための位置決め部である。
【００３９】
図５（ａ）に示すように、収納体本体３１の上面は開口しており、第２電圧線の母線２２を上側の開口から挿入した後、右側にスライドさせて下側に抜けないように嵌め込むことができるように構成されている。このとき、母線２２の各測定端子２２ｇが各筒状部３５（貫通孔３５ａ）の下側に位置するようになっており、各筒状部３５の前側から母線２２の各測定端子２２ｇへのアクセス（例えば、測定者による電圧測定プローブの接触）が可能になっている。また、図２に示すように、母線２２が収納体本体３１に嵌め込まれたとき、各母線側接続端子２２ｃ，２２ｄは、対応する各端子孔３１ｃ，３１ｄからそれぞれ下側に向かって突出するようになっている。
【００４０】
さらに、図５（ｂ）に示すように、収納体本体３１は、第２電圧線の母線２２を嵌め込んだ後に、第１電圧線の母線２１を上側の開口から挿入し、その後、右側にスライドさせて下側に抜けないように嵌め込むことができるように構成されている。このとき、母線２１の各母線側接続端子２１ｃの一部が各筒状部３４（貫通孔３４ａ）の下側に位置するようになっており、各筒状部３４の前側から母線２１の各母線側接続端子２１ｃへのアクセスが可能になっている。また、図２に示すように、母線２１が収納体本体３１に嵌め込まれたとき、各母線側接続端子２１ｃ，２１ｄは、対応する各端子孔３１ｃ，３１ｄからそれぞれ下側に向かって突出するようになっている。ここで、収納体本体３１の内側には、母線２１の上記嵌め込みの際に、各母線側接続端子２１ｃ，２１ｄの折り返し部分とそれぞれ当接する支持部３６ａ，３６ｂが設けられており、母線２１と母線２２とが接触しないようにしている。その後、図１に示すように、収納体本体３１の上側から上カバー３３が取り付けられる。
【００４１】
図４に示すように、前カバー３２は絶縁性（例えば樹脂製）の板状のものであり、前カバー３２の各筒状部３４，３５（貫通孔２３ｂ，２３ｃ）と対応する位置には、前後方向に延びる第１開口又は第２開口としてのカバー側筒状部３２ａが一体的に設けられている。カバー側筒状部３２ａの内径は、それぞれ各筒状部３４，３５の外径よりも若干大きくなっている。
【００４２】
上記のような構成とすることにより、中性線の母線２３は、各貫通孔２３ｂ，２３ｃの位置を各筒状部３４，３５にあわせた状態で、収納体本体３１の前側から取り付け可能になる。その後、前カバー３２の各カバー側筒状部３２ａと各筒状部３４，３５との位置をあわせた状態で、前カバー３２が前側から後側に押し込まれることにより、前板３１ｂの係合爪３８と前カバー３２の被係合部３２ｅとが係合され、抜け止めされるようになっている。
【００４３】
図４において、３２ｂは、左プラグイン端子４１の前側の開口と対応する位置に設けられ、前カバー３２の前後方向に貫通する第１開口又は第２開口としての測定孔である。３２ｃは、右プラグイン端子４１の前側の開口と対応する位置に設けられ、前カバー３２の前後方向に貫通する第３開口としての測定孔である。開口部３０は、カバー側筒状部３２ａと、測定孔３２ｂ，３２ｃとによって構成されている。３２ｄは、表示窓であり、前側から分岐開閉器４，５の表示部４５（電源電圧表示）が確認できるようになっている。３２ｈは、カバー側筒状部３２ａの左側の空き領域に設けられた表示部であり、例えば、工事業者、測定者等の作業者やユーザーが、各負荷（電気機器）と分岐開閉器４，５との関係を特定したり、不具合があった場合に報告したりしやすいようになっている。
【００４４】
３２ｇは、分岐開閉器４，５の取外し部であり、表示窓３２ｄの上側において、測定孔３２ｂ，３２ｃの両外側を囲むように上方向に延びており、かつ、上側に向かうにつれて徐々に幅狭になるように構成されている。３２ｆは、取外し部３２ｇの上端部に設けられた先端部であり、前側にはドライバー等で前側から押すための凹部が形成され、後側には前側から当該凹部が押された際に、取付板１２に装着された分岐開閉器４，５の前方上側の隅角部を下側に押すための突状部が設けられている。上記のように、測定孔３２ｂ，３２ｃの両外側を囲むように取外し部３２ｇを設けたことにより、取外し部３２ｇの測定孔３２ｂ，３２ｃの略中心を結ぶ方向が取外し部３２ｇの前後方向における揺動軸として作用しやすくなるから、前後方向の弾性的な強度が周辺部と比べて相対的に弱まり、分岐開閉器４，５の取り外しを容易化することができる。すなわち、測定孔３２ｂ，３２ｃは、取外し部３２ｇの弾性的な強度を調整する機能も兼ねている。
【００４５】
（電源電圧測定作業）
次に、工事業者等の測定者による分岐開閉器４，５の接続端子間に印加される電源電圧測定について説明する。
【００４６】
測定者は、例えば、片手に測定モニタを持ちつつ、もう一方の手で２本のプローブを把持し、そのプローブを母線収納体の第１開口〜第３開口のうちのいずれか２つの開口に挿入することによって分岐開閉器の接続端子間に印加される電源電圧を測定することができる。本実施形態では、図１の斜線で示したように、測定孔３２ｂ，３２ｃのうちの一方（プラグイン端子４１に接続されていない母線側接続端子に対応する孔）は、閉鎖部４６によって閉じられているため、測定者は、測定孔３２ｂ，３２ｃのうちの他方（プラグイン端子４１に接続されている母線側接続端子に対応する孔）と、カバー側筒状部３２ａとにそれぞれプローブを挿入して電源電圧測定を行う。
【００４７】
以上のように、本実施形態によると、各分岐開閉器４，５の長手方向の延長上における母線収納体３（前カバー３２）の表面の開口部３０から各電圧線（中性線）へのアクセスを可能にしたことにより、電源電圧を測定するためにプローブを挿入する２つの開口を近接して配置することができる。これにより、仮に、測定者が片手に測定モニタを持っているような場合においても、もう一方の手で２本のプローブを把持して電源電圧の測定をすることができる。すなわち、電源電圧測定の作業容易性を確保することができる。また、各分岐開閉器４，５の長手方向の延長上に開口部３０を設けたため、専用の測定端子等が不要になり、小型化された分電盤を実現することができる。
【００４８】
なお、図２に示すように、分岐開閉器４と分岐開閉器５とでは、第１電圧線の母線側接続端子２１ｃ，２１ｄと、第２電圧線の母線側接続端子２２ｃ，２２ｄとの位置が反対になっている。すなわち、分岐開閉器４ではプラグイン端子４２に第１電圧線の母線側接続端子２１ｄが接続され、分岐開閉器５ではプラグイン端子４２に第２電圧線の母線側接続端子２２ｄが接続されている。これは電路の相バランスを取ることを目的としてこのような構成となっている。一方で、本実施形態に係る分電盤は、測定者が分岐開閉器４，５のどちらを測定するかに関わらず同じような測定方法で測定することができるようになっており、この点においても電源電圧測定の作業容易性を確保している。
【産業上の利用可能性】
【００４９】
本発明は、小型化された分電盤を実現することができるため、例えば、住宅用の分電盤及び増設用の分電盤として極めて有用である。
【符号の説明】
【００５０】
２  母線グループ
３  母線収納体
４，５  分岐開閉器
２１  第１電圧線の母線
２１ｃ，２１ｄ  母線側接続端子
２２ｃ，２２ｄ  母線側接続端子
２３ｄ  母線側接続端子
２２  第２電圧線の母線
２３  中性線の母線
３０  開口部
３２ａ  カバー側筒状部（第１開口、第２開口）
３２ｂ  測定孔（第１開口、第２開口）
３２ｃ  測定孔（第３開口）
３４，３５  筒状部
４１，４２  プラグイン端子（開閉器側接続端子）
【図１】
0006349220.tif 000002
【図２】
0006349220.tif 000003
【図３】
0006349220.tif 000004
【図４】
0006349220.tif 000005
【図５】
0006349220.tif 000006
【図６】
0006349220.tif 000007